(57)【要約】【課題】転写テープの転写物を転写対象物に転写するための、転写対象物受け台を有した転写具において、簡単な構造で、転写対象物が長尺のものであっても、転写対象物の一方の端部から他方の端部まで連続して転写テープの転写物を転写対象物へ転写することができ、転写テープを使い切っても新たな転写テープに交換可能な転写具を得る。【解決手段】カートリッジと、該カートリッジを着脱自在に装着する転写対象物受け台を有した固定体とからなる転写具において、固定体を、転写対象物受け台と該転写対象物受け台に対して略直角に立設した立片とで形成した固定本体と、前記カートリッジを着脱自在に装着可能であって少なくとも転写ヘッドを外方に突出させて保持する保持体または保持部とで構成する。【選択図】図７
2011031402.tif 000002
【特許請求の範囲】
【請求項１】
転写ヘッドを外方に突出させて備えたケース本体内に、基材に転写物を塗着した転写テープを巻き付けた供給リ−ルと、転写テープを巻き取る巻取リ−ルとを回転可能に配設し、転写ヘッドにより転写テープを転写対象物に押し当てた状態で、転写具または転写対象物をスライドさせることで転写テープが順次繰出されて転写物を転写対象物へ転写可能なカートリッジと、該カートリッジを着脱自在に装着する転写対象物受け台を有した固定体とからなる転写具であって、前記固定体を、転写対象物受け台と該転写対象物受け台に対して略直角に立設した立片とで形成した固定本体と、前記カートリッジを着脱自在に装着可能であって少なくとも転写ヘッドを外方に突出させて保持する保持体とで構成し、固定本体の立片に、転写対象物受け台側に向って垂直に延びた係止孔を設け、保持体に設けた軸部を係止孔に遊嵌し、保持体を転写対象物受け台側に向って移動可能にかつ転写対象物受け台より離れる方向にばねにより張架して、保持体を固定本体の立片に取付け、カートリッジを保持体に装着し、カートリッジまたは保持体を転写対象物受け台側に押圧した際にカートリッジの転写ヘッドが転写対象物受け台に転写テープを介して当接可能としたことを特徴とする転写具。
【請求項２】
前記固定本体の立片に、前記係止孔と並行に転写対象物受け台に向って垂直に延びた第２の係止孔を設けるとともに、該第２の係止孔の転写対象物受け台側の下端に、前記係止孔の転写対象物受け台側の下端を中心点とした円弧状の円弧孔を連接して設け、保持体に設けた軸部を第２の係止孔に遊嵌してなる、請求項１に記載の転写具。
【請求項３】
転写ヘッドを外方に突出させて備えたケース本体内に、基材に転写物を塗着した転写テープを巻き付けた供給リ−ルと、転写テープを巻き取る巻取リ−ルとを回転可能に配設し、転写ヘッドにより転写テープを転写対象物に押し当てた状態で、転写具または転写対象物をスライドさせることで転写テープが順次繰出されて転写物を転写対象物へ転写可能なカートリッジと、該カートリッジを着脱自在に装着する保持部と転写対象物受け台を有した固定体とからなる転写具であって、前記固定体を、転写対象物受け台と該転写対象物受け台に対して略直角に立設した立片とで構成した固定本体を形成し、前記カートリッジを装着する保持部を固定本体の立片に設けた構造とし、保持部を、少なくとも転写ヘッドを外方に突出させて保持し、カートリッジを挿入するための挿入口を有した箱型状で、前記挿入口と反対側の底壁部側に、ばねにより挿入口側に付勢した、カートリッジを装着した際にカートリッジの下側壁部が当接する移動底壁部を配して、カートリッジを保持部に装着し、カートリッジを押圧することで、保持部の移動壁部が転写対象物受け台側に押圧され、カートリッジの転写ヘッドが転写対象物受け台に転写テープを介して当接可能としたことを特徴とする転写具。
【発明の詳細な説明】
【技術分野】
【０００１】
本発明は、転写テープの基材に塗着した糊等の粘着剤、修正剤や着色剤等の転写物を紙等の転写対象物に転写するための転写具に関する。
【背景技術】
【０００２】
従来より、転写テープの基材に塗着した糊等の粘着剤、修正剤や着色剤等の転写物を紙等の転写対象物に転写するための、転写ヘッドを外方に突出させて備えたケース本体内に、転写テープを巻き付けた供給リ−ルと、転写テープを巻き取る巻取リ−ルとを回転可能に配設し、転写ヘッドにより転写テープを転写対象物に押し当てた状態で転写具または転写対象物をスライドさせることで、転写テープが順次繰出されて転写物を転写対象物へ転写する転写具は知られている。
【０００３】
こうした転写具においては、転写対象物に転写物を転写する際に転写対象物を置くテーブルや机等の台を利用するが、場所を選ぶことなくどこでも簡単に転写することを目的として、転写対象物受け台を具設して、転写ヘッドと前記転写対象物受け台との間に転写対象物を挟んだ状態で転写具または転写対象物をスライドさせることで、簡単正確に転写テープの転写物を転写対象物に転写できるという技術が、特開２００６−２０５５２５号公報や特開２００７−１３６７５３号公報により提案されている。前者の技術では下側ヘッド部３３が、後者の技術では転写対象物受け台２が転写対象物受け台として開示されている。
【０００４】
前記転写具は、ステープラータイプの構造であって、上側ケースと下側ケースを回転移動機構を介して回動可能に取付けるようにしてあり、構造が複雑となったり、前者の転写具では転写テープを使い切ると転写具全体を交換しなければならなく、ユーザーに割高感を与えてしまうという問題があった。後者の転写具においては、転写具本体（カートリッジ）を交換可能になっており、前記問題は解消されているが、ステープラータイプの構造のために、転写対象物が長尺のものだと、転写対象物の一方の端部が回転移動機構部に当接してしまい、転写対象物の他方の端部から一方の端部まで連続して転写テープの基材に塗着した転写物を転写対象物へ転写することができないという問題がある。
【先行技術文献】
【特許文献】
【０００５】
【特許文献１】特開２００６−２０５５２５号公報
【特許文献２】特開２００７−１３６７５３号公報
【発明の概要】
【発明が解決しようとする課題】
【０００６】
本発明はこうした事実に鑑みてなされたもので、基材に塗着した転写物を紙等の転写対象物に転写するための転写テープを転写ヘッドにより転写対象物に押し当てた状態で、転写具または転写対象物をスライドさせることで転写テープが順次繰出されて転写物を転写対象物へ転写する、転写対象物へ転写物を転写する際に転写ヘッドが転写テープを介して当接可能な転写対象物を載置するための転写対象物受け台を具設した転写具において、簡単な構造で、転写対象物が長尺のものであっても、転写対象物の一方の端部から他方の端部まで連続して転写テープの転写物を転写対象物へ転写することができ、転写テープを使い切っても新たな転写テープに交換可能な転写具を得ることを目的とする。
【課題を解決するための手段】
【０００７】
本発明は、
「１．転写ヘッドを外方に突出させて備えたケース本体内に、基材に転写物を塗着した転写テープを巻き付けた供給リ−ルと、転写テープを巻き取る巻取リ−ルとを回転可能に配設し、転写ヘッドにより転写テープを転写対象物に押し当てた状態で、転写具または転写対象物をスライドさせることで転写テープが順次繰出されて転写物を転写対象物へ転写可能なカートリッジと、該カートリッジを着脱自在に装着する転写対象物受け台を有した固定体とからなる転写具であって、前記固定体を、転写対象物受け台と該転写対象物受け台に対して略直角に立設した立片とで形成した固定本体と、前記カートリッジを着脱自在に装着可能であって少なくとも転写ヘッドを外方に突出させて保持する保持体とで構成し、固定本体の立片に、転写対象物受け台側に向って垂直に延びた係止孔を設け、保持体に設けた軸部を係止孔に遊嵌し、保持体を転写対象物受け台側に向って移動可能にかつ転写対象物受け台より離れる方向にばねにより張架して、保持体を固定本体の立片に取付け、カートリッジを保持体に装着し、カートリッジまたは保持体を転写対象物受け台側に押圧した際にカートリッジの転写ヘッドが転写対象物受け台に転写テープを介して当接可能としたことを特徴とする転写具。
２．前記固定本体の立片に、前記係止孔と並行に転写対象物受け台に向って垂直に延びた第２の係止孔を設けるとともに、該第２の係止孔の転写対象物受け台側の下端に、前記係止孔の転写対象物受け台側の下端を中心点とした円弧状の円弧孔を連接して設け、保持体に設けた軸部を第２の係止孔に遊嵌してなる、前記１項に記載の転写具。
３．転写ヘッドを外方に突出させて備えたケース本体内に、基材に転写物を塗着した転写テープを巻き付けた供給リ−ルと、転写テープを巻き取る巻取リ−ルとを回転可能に配設し、転写ヘッドにより転写テープを転写対象物に押し当てた状態で、転写具または転写対象物をスライドさせることで転写テープが順次繰出されて転写物を転写対象物へ転写可能なカートリッジと、該カートリッジを着脱自在に装着する保持部と転写対象物受け台を有した固定体とからなる転写具であって、前記固定体を、転写対象物受け台と該転写対象物受け台に対して略直角に立設した立片とで構成した固定本体を形成し、前記カートリッジを装着する保持部を固定本体の立片に設けた構造とし、保持部を、少なくとも転写ヘッドを外方に突出させて保持し、カートリッジを挿入するための挿入口を有した箱型状で、前記挿入口と反対側の底壁部側に、ばねにより挿入口側に付勢した、カートリッジを装着した際にカートリッジの下側壁部が当接する移動底壁部を配して、カートリッジを保持部に装着し、カートリッジを押圧することで、保持部の移動壁部が転写対象物受け台側に押圧され、カートリッジの転写ヘッドが転写対象物受け台に転写テープを介して当接可能としたことを特徴とする転写具。」
である。
【発明の効果】
【０００８】
本発明の転写対象物受け台を具設した転写具は、構造が簡単で安価に提供できると言う利点があり、また、転写対象物が長尺のものであっても、転写対象物の一方の端部から他方の端部まで連続して転写テープの転写物を転写対象物へ転写することができるという利点がある。また、転写テープを使い切っても新たなカートリッジに交換可するだけで再び使用することができ、ユーザーにとってもカートリッジを購入するだけすむのでユーザーにとっても経済的なメリットがあるという効果がある。
【０００９】
請求項２に係る発明とすることで、請求項１に係る発明における保持体の転写対象物受け台側に向っての移動を、保持体が回動することなくスムーズにおこなうことができ、カートリッジまたは保持体を転写対象物受け台側に押圧してカートリッジの転写ヘッドを転写対象物受け台に転写テープを介して当接させる際に、転写対象物受け台に対してのカートリッジの傾きを調整することができる。
【図面の簡単な説明】
【００１０】
【図１】本発明の実施例の転写具における、カートリッジの正面図である。
【図２】本発明の第１の実施例の転写具における、カートリッジを着脱自在に保持するための固定体の正面図である。
【図３】図２における固定体の背面図である。
【図４】図２における固定体の右側面図である。
【図５】図２における固定体の左側面図である。
【図６】本発明の第１の実施例で、カートリッジを固定体に装着してなる転写具の正面図である。
【図７】本発明の実施例の転写具の使用状態を示す図である。
【図８】本発明の第２の実施例の転写具における、カートリッジを着脱自在に保持するための固定体の正面図である。
【図９】図８における固定体の左側面である。
【図１０】図８における固定体のＡ−Ａ線部分の断面図である。
【図１１】図８における固定体の右側面図である。
【図１２】本発明の第２の実施例で、カートリッジを固定体に装着してなる転写具の要部を断面した図である。
【発明を実施するための最良の形態】
【００１１】
転写ヘッドを外方に突出させて備えたケース本体内に、基材に転写物を塗着した転写テープを巻き付けた供給リ−ルと、転写テープを巻き取る巻取リ−ルとを回転可能に配設し、転写ヘッドにより転写テープを転写対象物に押し当てた状態で、転写具または転写対象物をスライドさせることで転写テープが順次繰出されて転写物を転写対象物へ転写可能なカートリッジと、該カートリッジを着脱自在に装着可能で転写対象物受け台を有した固定体とからなる転写具において、前記固定体を、転写対象物受け台と該転写対象物受け台に対して略直角に立設した立片とで形成した固定本体の立片に、前記カートリッジを、少なくとも転写ヘッドを外方に突出させて保持する保持部を設けた構造とする。
【実施例】
【００１２】
本発明の転写具の実施例を図面を用いて説明する。同じ部材、同じ箇所を示す場合は同じ符号を付してある。
第１の実施例の転写具１は、図１に示すようなカートリッジ２と、図２〜図５に示すようなカートリッジ２を着脱自在に保持する固定体３とで構成された、「テープのり」と呼ばれているものである。カートリッジ２は、図１に示すように、従来の「テープのり」と同様に、転写ヘッド４を外方に突出させて備えたケース本体５内に、テープ状の基材６に転写物（糊）を塗着した転写テープ７を巻き付けた供給リ−ル８と、転写テープ７を巻き取る巻取リ−ル９とを回転可能に配設した構造のものである。転写テープ７を転写ヘッド４を介して折り返し、転写ヘッド４により転写テープ７を転写対象物（図示せず）に押し当てた状態でカートリッジ２または転写対象物を転写方向へスライドさせることで、転写テープ７が供給リ−ル８より順次繰出され、転写テープ７に塗着した糊を転写対象物へ転写する。転写しおわった転写テープ７の基材６ａは、巻取リール９により巻き取られる。
【００１３】
符号１０は転写ヘッドカバーで、転写テープ７における転写対象物への転写前の転写物の汚れによる転写対象物への付着が損なわれないようにするためのもので、ヒンジ１１により回転可能に設けてある。
【００１４】
図２〜図５に示すカートリッジ２を着脱自在に固定する固定体３は、前記カートリッジ２を嵌合して保持する、底部１２と前記カートリッジ２の上側壁部１３（図１において、上側の壁部）に当接する上片部１４と前記カートリッジ２の下側壁部１５（図１において、下側の壁部）に当接する下片部１６とで構成された保持体１７と、該保持体１７を固定する固定本体１８とで構成してある。
【００１５】
固定本体１８は、前記保持体１７の底部１２に当接する立片１９と該立片１９に略直角に折曲げて形成した転写対象物受け台２０とで構成されている。立片１９には、転写対象物受け台２０に対して垂直方向に延びた、貫通した第１の係止孔２１と第２の係止孔２２が設けてあり、第２の係止孔２２の転写対象物受け台２０側の下端２２ａ（図３において下側）には、第１の係止孔２１の下端２１ａを中心点とした円弧状の円弧孔２３が連接して設けてある。また、立片１９は、転写対象物受け台２０に転写対象物（図示せず）を載置した際の転写対象物の端部を当接して移動を案内するためのガイド片としての機能を有している。  
【００１６】
保持体１７の底部１２の前記第１の係止孔２１と第２の係止孔２２に対向した部分には、軸部２４を設けてあり、該軸部２４を前記第１の係止孔２１と第２の係止孔２２に各々遊嵌し、軸部２４にナット２５等を螺着して、保持体１７を立片１９に移動可能に付設するとともに、第１の係止孔２１に遊嵌した軸部２４をばね２６により第１の係止孔２１の上端２１ｂ側に引張り、前記軸部２４が第１の係止孔２１の上端２１ｂと第２の係止孔２２の上端２２ｂに位置するようにしてある。また、転写具１としての使用状態を良好なものとするために、保持体１７にカートリッジ２を装着した際に、カートリッジ２の転写ヘッド４が固定本体１８の転写対象物受け台２０に対向し、かつ転写対象物受け台２０に対して約５０〜５５度位傾いて装着するように、前記第１の係止孔２１と第２の係止孔２２の位置や保持体１７の底部１２に設ける軸部２４の位置を設定してある。
【００１７】
本実施例の転写具１は、図６に示すように前記カートリッジ２を固定体３の保持体１７に装着してなるもので、使用の際には、図７に示すように、転写ヘッドカバー１０を開き、転写テープ７に塗着した糊を転写したい紙等の転写対象物（図示せず）を転写対象物受け台２０に載置し、保持体１７の上片部１４を、矢印に示すように、転写対象物用の受け台２０側に押圧すれば良い。
【００１８】
第２の実施例の転写具５０は、第１の実施例と同様に、図１に示すカートリッジ２と、図８〜図１１に示すようなカートリッジ２を着脱自在に保持する固定体５１とで構成された、「テープのり」と呼ばれているものである。
【００１９】
図８〜図１１に示す固定体５１は、第１の実施例における固定体３と同様に、カートリッジ２（図示せず）を、少なくとも転写ヘッド４を外方に突出させて保持する、カートリッジを挿入するための挿入口５２を有した箱型状の保持部５３を、立片５４と該立片５４に略直角に折曲げて形成した転写対象物受け台５５とからなる固定本体５６の立片５４に設けた構造としたある。立片５４は、転写対象物受け台５５に転写対象物（図示せず）を載置した際の転写対象物の端部を当接して移動を案内するためのガイド片としての機能を有している。  
【００２０】
図１０に示すように、保持部５３のカートリッジ２を挿入するための挿入口５２と反対側の底壁部５７側には、Ｖ字型ばね５８により挿入口５２側に付勢した、カートリッジの下側壁部１５が当接し、固定本体５６の転写対象物受け台５５側に移動可能な移動壁部５９を設けてある。
【００２１】
本実施例の転写具５０は、図１２に示すようにカートリッジ２を固定体５１の保持部５３に挿着してなるもので、使用の際は、転写ヘッドカバー１０を開き、転写テープ７に塗着した糊を転写したい紙等の転写対象物（図示せず）を転写対象物受け台５５に載置し、カートリッジ２の上側壁部１３を押圧することで、保持部５３の移動壁部５９が転写対象物受け台５５側に押圧され、カートリッジ２も転写対象物受け台５５側に移動し、転写ヘッド４が転写対象物に転写テープ７を介して当接するので、転写具５０または転写対象物をスライドして、糊を転写対象物に転写する。
【産業上の利用可能性】
【００２２】
本発明は、転写テープの転写物を転写対象物に転写するための、転写対象物受け台を有した転写具を得る場合に適用するが、転写具を保持するための転写具用の補助具としても適用できる。
【符号の説明】
【００２３】
１、５０  転写具
２  カートリッジ
３、５１  固定体
４  転写ヘッド
１３  上側壁部
１５  下側壁部
１７  保持体
１８  固定本体
１９  立片
２０  転写対象物受け台
２１  第１の係止孔
２２  第２の係止孔
２３  円弧孔
２６  ばね
５２  挿入口
５３  保持部
５４  立片
５５  転写対象物受け台
５６  固定本体
５８  Ｖ字型ばね
５９  移動底壁部
【図１】
2011031402.tif 000003
【図２】
2011031402.tif 000004
【図３】
2011031402.tif 000005
【図４】
2011031402.tif 000006
【図５】
2011031402.tif 000007
【図６】
2011031402.tif 000008
【図７】
2011031402.tif 000009
【図８】
2011031402.tif 000010
【図９】
2011031402.tif 000011
【図１０】
2011031402.tif 000012
【図１１】
2011031402.tif 000013
【図１２】
2011031402.tif 000014